(57)【特許請求の範囲】
【請求項１】
他の機器との間の無線通信によって他の機器から画像データを受信し、その受信した画像データによってディスプレイ上に画像を表示する、無線ＬＡＮシステム用の表示端末であって、
他の機器から受信したデータの単位時間あたりのビット誤り率を算出する手段と、
その算出結果のビット誤り率を、前記受信データが当該表示端末の受信品質レベルとして相対的に高品質レベルが要求される第１の種別のデータであるときには第１の閾値と比較演算し、前記受信データが当該表示端末の受信品質レベルとして前記第１の種別のデータほどには高品質レベルが要求されない第２の種別のデータであるときには前記第１の閾値より低い第２の閾値と比較演算する手段と、
その比較演算結果によって、当該表示端末の受信品質レベルを、前記ディスプレイ上にグラフまたは数値として、前記算出結果のビット誤り率が前記比較演算手段で比較演算された閾値と等しいときには、前記グラフまたは前記数値を基準の割合または値とし、前記算出結果のビット誤り率が前記比較演算手段で比較演算された閾値より大きいときには、両者の差に応じて前記グラフまたは前記数値を前記基準の割合または値より小さくし、前記算出結果のビット誤り率が前記比較演算手段で比較演算された閾値より小さいときには、両者の差に応じて前記グラフまたは前記数値を前記基準の割合または値より大きくするように、前記単位時間ごとに表示する表示制御手段と、
を備える表示端末。
【請求項２】
請求項１の表示端末において、
前記表示制御手段は、受信品質レベル表示オンの状態に制御されたときにのみ、前記比較演算結果によって、当該表示端末の受信品質レベルを前記ディスプレイ上にグラフまたは数値として表示する表示端末。
【請求項３】
他の機器との間の無線通信によって他の機器から画像データを受信し、その受信した画像データによってディスプレイ上に画像を表示する、無線ＬＡＮシステム用の表示端末で、受信品質レベルを前記ディスプレイ上に表示する方法であって、
他の機器から受信したデータの単位時間あたりのビット誤り率を算出する工程と、
その算出結果のビット誤り率を、前記受信データが当該表示端末の受信品質レベルとして相対的に高品質レベルが要求される第１の種別のデータであるときには第１の閾値と比較演算し、前記受信データが当該表示端末の受信品質レベルとして前記第１の種別のデータほどには高品質レベルが要求されない第２の種別のデータであるときには前記第１の閾値より低い第２の閾値と比較演算する工程と、
その比較演算結果によって、当該表示端末の受信品質レベルを、前記ディスプレイ上にグラフまたは数値として、前記算出結果のビット誤り率が前記比較演算工程で比較演算された閾値と等しいときには、前記グラフまたは前記数値を基準の割合または値とし、前記算出結果のビット誤り率が前記比較演算工程で比較演算された閾値より大きいときには、両者の差に応じて前記グラフまたは前記数値を前記基準の割合または値より小さくし、前記算出結果のビット誤り率が前記比較演算工程で比較演算された閾値より小さいときには、両者の差に応じて前記グラフまたは前記数値を前記基準の割合または値より大きくするように、前記単位時間ごとに表示する表示制御工程と、
を備える受信品質レベル表示方法。
【請求項４】
請求項３の受信品質レベル表示方法において、
当該表示端末が受信品質レベル表示オンの状態に制御されたときにのみ、前記比較演算結果によって、当該表示端末の受信品質レベルを前記ディスプレイ上にグラフまたは数値として表示する受信品質レベル表示方法。
【発明の詳細な説明】
【０００１】
【発明の属する技術分野】
この発明は、無線ＬＡＮ（Ｌｏｃａｌ  Ａｒｅａ  Ｎｅｔｗｏｒｋ）システム用の表示端末、および、この表示端末の受信品質レベルを表示する方法に関する。
【０００２】
【従来の技術】
住宅内や部屋内などの限られたエリア内において、複数の機器の間で、無線ＬＡＮシステムを構築して、データの送受信を行うことが考えられており、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，Ｉｎｃ．）８０２．１１規格では、このような無線ＬＡＮシステムに用いることができる無線周波数帯として、２．４ＧＨｚ帯および５ＧＨｚ帯が規定されている。
【０００３】
この場合、電話回線が接続され、チューナが内蔵され、または受信機やＤＶＤ（Ｄｉｇｉｔａｌ  Ｖｉｄｅｏ  Ｄｉｓｃ，Ｄｉｇｉｔａｌ  Ｖｅｒｓａｔｉｌｅ  Ｄｉｓｃ）プレーヤなどの外部機器が接続されたベース機器と、このベース機器との間の無線通信によって、ベース機器に対してコマンドを発信し、ベース機器から画像データおよび音声データを受信して、ディスプレイ上に画像を表示し、スピーカやイヤホンから音声を出力する表示端末とによって、無線ＬＡＮシステムを構築することによって、ユーザは、住宅内や部屋内のいずれの場所に居ても、手元の表示端末によって、インターネットへのアクセス、テレビジョン放送やＢＳ／ＣＳデジタル放送の視聴、ＤＶＤの再生などを行うことができる。
【０００４】
従来一般に、無線通信機器によって通信を行う場合には、あらかじめ受信場所の電界強度を測定表示し、ユーザは、その表示を見て、所定強度以上の電界強度であることを確認した上で、通信を行うようにしている。
【０００５】
【発明が解決しようとする課題】
しかしながら、上述した無線ＬＡＮシステムの周波数帯は、２．４ＧＨｚ帯または５ＧＨｚ帯というような、ＩＳＭ（Ｉｎｄｕｓｔｒｉａｌ  Ｓｃｉｅｎｔｉｆｉｃ  Ｍｅｄｉｃａｌ）帯域の、マイクロ波に及ぶ超高周波であるので、上述したように屋内で無線ＬＡＮシステムを構築した場合には、部屋の壁や柱などでの電波の様々な反射によるマルチパス干渉の影響を受けやすく、電界強度が十分であっても、表示端末の場所によっては、マルチパス干渉の増大によって表示端末の受信品質レベルが低下し、画質や音質が低下することがある。
【０００６】
そこで、この発明は、無線ＬＡＮシステム用の表示端末において、ユーザがマルチパス干渉の増大によって受信品質レベルが低下している状況を確実かつ容易に知ることができ、受信品質レベルが低下しているときには受信場所を移動するなどによって、マルチパス干渉が小さく受信品質レベルが高い状態で他の機器から送信されたデータを受信することができるようにしたものである。
【０００７】
【課題を解決するための手段】
この発明の表示端末は、
他の機器との間の無線通信によって他の機器から画像データを受信し、その受信した画像データによってディスプレイ上に画像を表示する、無線ＬＡＮシステム用の表示端末であって、
他の機器から受信したデータの単位時間あたりのビット誤り率を算出する手段と、
その算出結果のビット誤り率を、前記受信データが当該表示端末の受信品質レベルとして相対的に高品質レベルが要求される第１の種別のデータであるときには第１の閾値と比較演算し、前記受信データが当該表示端末の受信品質レベルとして前記第１の種別のデータほどには高品質レベルが要求されない第２の種別のデータであるときには前記第１の閾値より低い第２の閾値と比較演算する手段と、
その比較演算結果によって、当該表示端末の受信品質レベルを、前記ディスプレイ上にグラフまたは数値として、前記算出結果のビット誤り率が前記比較演算手段で比較演算された閾値と等しいときには、前記グラフまたは前記数値を基準の割合または値とし、前記算出結果のビット誤り率が前記比較演算手段で比較演算された閾値より大きいときには、両者の差に応じて前記グラフまたは前記数値を前記基準の割合または値より小さくし、前記算出結果のビット誤り率が前記比較演算手段で比較演算された閾値より小さいときには、両者の差に応じて前記グラフまたは前記数値を前記基準の割合または値より大きくするように、前記単位時間ごとに表示する表示制御手段と、
を備えるものである。
【０００８】
この場合、前記表示制御手段は、受信品質レベル表示オンの状態に制御されたときにのみ、前記比較演算結果によって、当該表示端末の受信品質レベルを前記ディスプレイ上にグラフまたは数値として表示するものとすることができる。
【００１０】
上記の構成の、この発明の表示端末では、ユーザは、手元の表示端末によって他の機器から送信されたデータを受信することによって、デジタル放送のデータなどのように受信品質レベルとして高品質レベルが要求されるデータの受信時にも、インターネット上のホームページのデータなどのように受信品質レベルとしてデジタル放送のデータなどほどには高品質レベルが要求されないデータの受信時にも、マルチパス干渉の増大によって受信品質レベルが低下している状況を確実かつ容易に知ることができ、受信品質レベルが低下しているときには受信場所を移動するなどによって、マルチパス干渉が小さく受信品質レベルが高い状態で他の機器から送信されたデータを受信することができる。
【００１１】
【発明の実施の形態】
〔無線ＬＡＮシステムの一例…図１〜図３〕
図１は、この発明の表示端末を用いた無線ＬＡＮシステムの一例を示す。この例の無線ＬＡＮシステムは、ベース機器１０と表示端末３０によって構成される。
【００１２】
ベース機器１０には、電話回線１が接続され、表示端末３０との間の無線通信用のアンテナ１１が設けられて、表示端末３０が、ベース機器１０との間の無線通信によって、電話の通話を行うことができるとともに、インターネットにアクセスすることができるように構成される。
【００１３】
また、ベース機器１０には、地上波テレビジョン放送の受信用のアンテナ１２が接続され、チューナ１３が内蔵されて、表示端末３０が、ベース機器１０との間の無線通信によって、地上波テレビジョン放送の映像および音声を受信できるように構成される。
【００１４】
さらに、ベース機器１０には、ＢＳ／ＣＳデジタル放送の受信機（ＳＴＢ：Ｓｅｔ  Ｔｏｐ  Ｂｏｘ）５０が接続され、受信機５０には、コンバータを含むＢＳ／ＣＳデジタル放送の受信用のパラボラアンテナ５１が接続されて、表示端末３０が、ベース機器１０との間の無線通信によって、ＢＳ／ＣＳデジタル放送の映像や音声などの番組情報を受信できるように構成される。
【００１５】
ベース機器１０には、リモコンマウスなどのリモコン送信器６０が接続され、これから送出された赤外線リモコン信号が、受信機５０に設けられたリモコン受光部５２で受光されることによって、受信機５０が制御されるように構成される。「リモコン」は、「リモートコントロール」の略である。
【００１６】
表示端末３０には、ベース機器１０との間の無線通信用のアンテナ３１、画像表示用のＬＣＤ（Ｌｉｑｕｉｄ  Ｃｒｙｓｔａｌ  Ｄｉｓｐｌａｙ）３２、音声出力用のスピーカ３３、および音声入力用のマイクロホン３４が設けられる。また、表示端末３０には、電源キー、インターネット用キー、電子メール用キー、選局用キー、音量調整用キーなどを含むキー操作部３５が設けられる。
【００１７】
さらに、ＬＣＤ３２の画面上には、タッチパネル３６が設けられ、ユーザが、このタッチパネル３６の所定領域内にタッチすることによって、ＬＣＤ３２上にコントロールパネル３７が表示され、ユーザが、このコントロールパネル３７のキースイッチ部にタッチすることによって、ベース機器１０側を制御することができるように構成される。
【００１８】
機能ブロック的には、ベース機器１０は、図２に示すように構成され、表示端末３０は、図３に示すように構成される。
【００１９】
図２に示すように、ベース機器１０には、ユーザインタフェース部を構成するキー操作部１６および表示部１７が設けられ、キー操作部１６が、インタフェース部１８を介して主制御部２１に接続され、表示部１７が、表示制御部１９を介して主制御部２１に接続される。また、リモコン送信器６０は、インタフェース部２７を介して主制御部２１に接続される。
【００２０】
チューナ１３で選局された地上波テレビジョン放送の信号は、復調部１４で復調されて圧縮伸長部２４に送られ、受信機５０で選局されたＢＳ／ＣＳデジタル放送の信号は、外部入力インタフェース部１５を介して圧縮伸長部２４に送られる。
【００２１】
また、電話回線１が、回線インタフェース部２５を介して圧縮伸長部２４に接続されるとともに、さらにモデム部２６を介して信号制御部２３に接続される。
【００２２】
圧縮伸長部２４では、復調部１４、外部入力インタフェース部１５、または回線インタフェース部２５からの映像データおよび音声データが、所定の圧縮方式、例えばＭＰＥＧ（Ｍｏｖｉｎｇ  Ｐｉｃｔｕｒｅ  Ｅｘｐｅｒｔｓ  Ｇｒｏｕｐ）方式によって圧縮され、圧縮後の映像データおよび音声データが、信号制御部２３に送出される。
【００２３】
また、圧縮伸長部２４では、表示端末３０から送信されて無線通信部２２で受信されることによって、無線通信部２２から信号制御部２３を介して圧縮伸長部２４に送出された圧縮された音声データが、伸長されて、回線インタフェース部２５に送出される。
【００２４】
無線通信部２２では、信号制御部２３からのデータが、所定の変調方式、例えばＣＣＫ（Ｃｏｍｐｌｅｍｅｎｔａｒｙ  Ｃｏｄｅ  Ｋｅｙｉｎｇ）方式やＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式によって変調され、さらに２．４ＧＨｚ帯または５ＧＨｚ帯の高周波信号に変換されて、アンテナ１１から表示端末３０に送信される。
【００２５】
また、無線通信部２２では、表示端末３０から送信されてアンテナ１１で受信された高周波信号が、中間周波信号に変換され、さらに復調されて、復調後のデータが、信号制御部２３に送出される。
【００２６】
信号制御部２３は、圧縮伸長部２４で圧縮された映像データおよび音声データ、モデム部２６で受信されたデータ、および主制御部２１からの制御データを、仲裁しながら、無線通信部２２に送出するとともに、表示端末３０から送信されて無線通信部２２で受信されることによって、無線通信部２２から信号制御部２３に送出されたデータを、主制御部２１、モデム部２６および圧縮伸長部２４に振り分けて送出する。
【００２７】
主制御部２１は、ベース機器１０の各部を制御するもので、図では省略したが、ＣＰＵ、ＣＰＵが実行すべきプログラムや固定データなどが書き込まれたＲＯＭ、およびＣＰＵのワークエリアなどとして機能するＲＡＭなどによって構成される。
【００２８】
図３に示すように、表示端末３０では、キー操作部３５が、インタフェース部３８を介して主制御部４１に接続される。また、タッチパネル３６に対して座標検出部３９が設けられて、タッチパネル３６のタッチされた座標が座標検出部３９で検出され、その検出座標値が主制御部４１に送出される。
【００２９】
主制御部４１は、タッチパネル３６の所定領域内がタッチされたときには、表示制御部４５を制御して、ＬＣＤ３２上にコントロールパネル３７を表示させ、コントロールパネル３７が表示された状態でコントロールパネル３７のキースイッチ部がタッチされたときには、タッチされたキースイッチ部に応じた制御データを生成し、キー操作部３５が操作されたときには、操作されたキーに応じた制御データを生成して、信号制御部４３に送出する。
【００３０】
表示端末３０では、マイクロホン３４からの音声信号が、音声増幅器４８で増幅され、Ａ／Ｄコンバータ４９でデジタル音声データに変換される。その音声データは、圧縮伸長部４４で所定の圧縮方式によって圧縮され、圧縮後の音声データが、信号制御部４３に送出される。
【００３１】
信号制御部４３は、主制御部４１からの制御データ、および圧縮伸長部４４で圧縮された音声データを、仲裁しながら、無線通信部４２に送出するとともに、ベース機器１０から送信されて無線通信部４２で受信されることによって、無線通信部４２から信号制御部４３に送出されたデータを、制御データおよびモデム部２６で受信されたデータは主制御部４１に、圧縮された映像データおよび音声データは圧縮伸長部４４に、振り分けて送出する。
【００３２】
無線通信部４２では、信号制御部４３からのデータが、所定の変調方式によって変調され、さらに２．４ＧＨｚ帯または５ＧＨｚ帯の高周波信号に変換されて、アンテナ３１からベース機器１０に送信される。
【００３３】
また、無線通信部４２では、ベース機器１０から送信されてアンテナ３１で受信された高周波信号が、中間周波信号に変換され、さらに復調されて、復調後のデータが、信号制御部４３に送出される。
【００３４】
圧縮伸長部４４では、信号制御部４３からの圧縮された映像データおよび音声データが伸長される。その伸長後の映像データは、表示制御部４５によって、ＬＣＤ３２上に画像として表示される。伸長後の音声データは、Ｄ／Ａコンバータ４６でアナログ音声信号に変換され、その音声信号が音声増幅器４７で増幅されて、スピーカ３３から音声が出力される。
【００３５】
主制御部４１は、表示端末３０の各部を制御するもので、図では省略したが、ベース機器１０の主制御部２１と同様に、ＣＰＵ、ＲＯＭおよびＲＡＭなどによって構成される。
【００３６】
上述した無線ＬＡＮシステムで、地上波テレビジョン放送またはＢＳ／ＣＳデジタル放送を受信する場合には、ベース機器１０では、復調部１４または外部入力インタフェース部１５からの映像データおよび音声データが、圧縮伸長部２４で圧縮され、信号制御部２３を介して無線通信部２２によって、表示端末３０に送信される。
【００３７】
表示端末３０では、その圧縮された映像データおよび音声データが、無線通信部４２で受信され、信号制御部４３を介して圧縮伸長部４４に送られて伸長され、ＬＣＤ３２上に画像が表示され、スピーカ３３から音声が出力される。
【００３８】
ユーザがキー操作部３５またはコントロールパネル３７で選局すると、表示端末３０の主制御部４１から、信号制御部４３を介して無線通信部４２によって、ベース機器１０にコマンドが送信される。
【００３９】
ベース機器１０では、そのコマンドが、無線通信部２２で受信されて、信号制御部２３を介して主制御部２１に送られ、主制御部２１によってチューナ１３が制御され、またはリモコン送信器６０によって受信機５０が制御されて、選局が実行される。
【００４０】
インターネットにアクセスする場合には、ユーザがキー操作部３５またはコントロールパネル３７によってＩＳＰ（Ｉｎｔｅｒｎｅｔ  Ｓｅｒｖｉｃｅ  Ｐｒｏｖｉｄｅｒ）への接続を要求すると、表示端末３０の主制御部４１から、信号制御部４３を介して無線通信部４２によって、その要求がベース機器１０に送信される。
【００４１】
ベース機器１０では、その要求が、無線通信部２２で受信されて、信号制御部２３を介して主制御部２１に送られ、主制御部２１によってモデム部２６および回線インタフェース部２５が制御されて、ＩＳＰとの接続が行われ、例えば、あるホームページの閲覧要求によってＩＳＰから電話回線１に送られたデータが、回線インタフェース部２５およびモデム部２６を介して信号制御部２３に送られ、無線通信部２２によって表示端末３０に送信される。
【００４２】
表示端末３０では、そのデータが、無線通信部４２で受信されて、信号制御部４３を介して主制御部４１に送られる。主制御部４１では、そのデータが加工されて、表示データが作成され、その表示データが、表示制御部４５に送られて、ＬＣＤ３２上にホームページが表示される。
【００４３】
電話の通話を行う場合、表示端末３０のマイクロホン３４からの送話音声信号が、Ａ／Ｄコンバータ４９でデジタル音声データに変換され、圧縮伸長部４４で圧縮されて、圧縮後の音声データが、信号制御部４３を介して無線通信部４２によって、ベース機器１０に送信される。
【００４４】
ベース機器１０では、その圧縮された音声データが、無線通信部２２で受信され、信号制御部２３を介して圧縮伸長部２４に送られて伸長され、伸長後の送話音声信号が、回線インタフェース部２５を介して電話回線１に送出される。
【００４５】
一方、電話回線１に得られた受話音声信号が、回線インタフェース部２５を介して圧縮伸長部２４に送られて圧縮され、圧縮後の音声データが、信号制御部２３を介して無線通信部２２によって、表示端末３０に送信される。
【００４６】
表示端末３０では、その圧縮された音声データが、無線通信部４２で受信され、信号制御部４３を介して圧縮伸長部４４に送られて伸長され、伸長後の音声データが、Ｄ／Ａコンバータ４６でアナログ音声信号に変換され、スピーカ３３から受話音声が出力される。
【００４７】
〔受信品質レベルの表示の実施形態…図４〜図７〕
以上のような無線ＬＡＮシステムにおいて、表示端末３０で受信品質レベルを表示する場合の一実施形態を、以下に示す。
【００４８】
図４は、受信品質レベルの表示のための構成の一例を示す。表示端末３０では、ベース機器１０から受信した圧縮されたデータが、圧縮伸長部４４で伸長された後、ビット誤りが訂正されるが、その誤り訂正前の伸長後のデータが、受信品質監視部７１に取り込まれる。
【００４９】
この受信品質レベル表示用のデータとしては、ユーザが、実際に画像や音声を視聴する際に表示端末３０の受信に適した場所で視聴しようとする場合には、ベース機器１０側で受信されて表示端末３０に送信されたデータが用いられるが、ユーザが、あらかじめ住宅内や部屋内などの表示端末３０の受信に適した場所を調べようとする場合には、ベース機器１０が保持していて、ベース機器１０のキー操作部１６での操作、または表示端末３０のキー操作部３５またはコントロールパネル３７での要求によって、ベース機器１０から表示端末３０に送信される一定のデータを用いることができる。
【００５０】
受信品質監視部７１では、ビット誤り検出部７２で、圧縮伸長部４４からの誤り訂正前の伸長後のデータのビット誤りが検出され、さらにビット誤り率算出部７３で、図５の上段のドットで示すように、単位時間あたりのビット誤り率が算出される。単位時間は、コンマ数秒ないし１秒程度に設定される。
【００５１】
さらに、受信品質監視部７１では、比較演算部７４において、ビット誤り率算出部７３の算出結果のビット誤り率が、メモリ７５から読み出された閾値（基準値）と比較される。閾値としては、例えば、相対的に高い閾値Ｌｔｈ１と相対的に低い閾値Ｌｔｈ２との２つが、あらかじめメモリ７５に格納され、表示端末３０で受信するデータの種別に応じて、いずれか一方がメモリ７５から読み出されて、ビット誤り率算出部７３で算出されたビット誤り率と比較される。
【００５２】
例えば、地上波テレビジョン放送またはＢＳ／ＣＳデジタル放送を受信する場合には、表示端末３０で受信するデータが動画の画像データを含み、表示端末３０の受信品質レベルとして高品質レベルが要求されるので、メモリ７５からは閾値Ｌｔｈ２が読み出されてビット誤り率と比較され、インターネットへのアクセスによってホームページなどのデータを受信する場合には、地上波テレビジョン放送またはＢＳ／ＣＳデジタル放送を受信する場合ほどには表示端末３０の受信品質レベルとして高品質レベルが要求されないので、メモリ７５からは閾値Ｌｔｈ１が読み出されてビット誤り率と比較される。
【００５３】
受信品質監視部７１のビット誤り検出部７２、ビット誤り率算出部７３および比較演算部７４は、主制御部４１を構成するＣＰＵ、ＲＯＭおよびＲＡＭなどによって構成することができる。メモリ７５としても、主制御部４１を構成するＲＡＭなどを利用することができる。
【００５４】
比較演算部７４の出力は、受信品質表示制御部７６に送出される。受信品質表示制御部７６は、比較演算部７４の出力によって、表示端末３０の受信品質レベルを、例えば棒グラフと数値の両方で、ＬＣＤ３２上に表示するデータを生成して、表示制御部４５に送出する。これによって、図６に示すように、ＬＣＤ３２上に受信品質レベルが、棒グラフＧおよび数値Ｎによって表示される。
【００５５】
この場合、比較演算部７４の演算結果は、ビット誤り率が閾値Ｌｔｈ１またはＬｔｈ２より大きいか否かによって二値的に変化するものではなく、ビット誤り率が閾値Ｌｔｈ１またはＬｔｈ２と等しいときには、棒グラフＧが基準の５０％の長さ、かつ数値Ｎが基準の「５０」の値となり、ビット誤り率が閾値Ｌｔｈ１またはＬｔｈ２より大きいときには、その閾値Ｌｔｈ１またはＬｔｈ２との差に応じて、棒グラフＧが５０％より短く、かつ数値Ｎが「５０」より小さくなり、ビット誤り率が閾値Ｌｔｈ１またはＬｔｈ２より小さいときには、その閾値Ｌｔｈ１またはＬｔｈ２との差に応じて、棒グラフＧが５０％より長く、かつ数値Ｎが「５０」より大きくなるような結果とされる。
【００５６】
また、比較演算部７４の演算結果は、比較演算部７４または受信品質表示制御部７６で上記の単位時間、ホールドされて、単位時間間隔の間欠的なものではなく、単位時間ごとに値が変化し得る継続的・連続的なものとされ、これによって、ＬＣＤ３２上では棒グラフＧおよび数値Ｎが、単位時間間隔で間欠的に表示されるのではなく、単位時間ごとに棒グラフＧの長さ（高さ）および数値Ｎが変化し得る状態で継続的・連続的に表示される。
【００５７】
図５の期間Ｔ１は、メモリ７５から閾値Ｌｔｈ１が読み出されるとともに、マルチパス干渉が大きいために、表示端末３０の受信品質レベルが低く、ビット誤り率が閾値Ｌｔｈ１より大きい場合で、この場合には、ユーザが受信場所を変えるなどによってマルチパス干渉が小さくなるようにすることによって、同図の期間Ｔ２として示すように、表示端末３０の受信品質レベルが高くなり、ビット誤り率が閾値Ｌｔｈ１より小さくなる。
【００５８】
図５の期間Ｔ３は、メモリ７５から閾値Ｌｔｈ２が読み出されるとともに、マルチパス干渉が相対的に大きいために、表示端末３０の受信品質レベルが相対的に低く、ビット誤り率が閾値Ｌｔｈ２より大きい場合で、この場合にも、ユーザが受信場所を変えるなどによってマルチパス干渉が十分に小さくなるようにすることによって、同図の期間Ｔ４として示すように、表示端末３０の受信品質レベルが十分に高くなり、ビット誤り率が閾値Ｌｔｈ２より小さくなる。
【００５９】
上述した受信品質監視部７１での受信品質レベルの監視、および受信品質表示制御部７６によるＬＣＤ３２上への受信品質レベルの表示は、ユーザによる表示端末３０のキー操作部３５またはコントロールパネル３７での監視・表示のオン操作によって実行され、上述したようにユーザが受信場所を変えるなどによってマルチパス干渉が小さくなるようにした後、監視・表示のオフ操作をすると、監視および表示が停止される。
【００６０】
以上のように、この実施形態によれば、ユーザはマルチパス干渉の増大によって受信品質レベルが低下している状況を確実かつ容易に知ることができ、受信品質レベルが低下しているときには受信場所を移動するなどによって、マルチパス干渉が小さく受信品質レベルが高い状態でベース機器１０から送信されたデータを受信することができる。
【００６１】
上述した例は、受信品質レベルを棒グラフＧと数値Ｎによって表示する場合であるが、棒グラフと数値のいずれか一方によって表示するようにしてもよい。あるいは、棒グラフの代わりに、円グラフなどのグラフによって表示するようにしてもよい。
【００６２】
あるいは、図７に示すように、受信品質レベルを、人の顔を表すキャラクタＣの表情を変えるなどによって、描画情報として表示するようにしてもよい。
【００６３】
また、図６のように受信品質レベルを棒グラフＧや数値Ｎによって表示し、または図７のように受信品質レベルをキャラクタＣなどの描画情報によって表示すると同時に、比較演算部７４の出力によって、図３に示したＤ／Ａコンバータ４６、音声増幅器４７およびスピーカ３３の系を利用して、例えば、受信品質レベルに応じて音程や断続的な音の間隔などが変化する音を出力させるようにしてもよい。
【００６４】
〔他の実施形態〕
ベース機器１０にＤＶＤプレーヤやデジタルＶＴＲ（Ｖｉｄｅｏ  Ｔａｐｅ  Ｒｅｃｏｒｄｅｒ）などの外部機器を接続して、これからの映像データおよび音声データをベース機器１０から表示端末３０に送信するように構成することもできる。
【００６５】
また、無線ＬＡＮシステムは、一つのベース機器と複数の表示端末によって、または複数のベース機器と一つの表示端末によって、または複数のベース機器と複数の表示端末によって、構築することもできる。
【００６６】
【発明の効果】
上述したように、この発明によれば、ユーザは、手元の表示端末によって他の機器から送信されたデータを受信することによって、デジタル放送のデータなどのように受信品質レベルとして高品質レベルが要求されるデータの受信時にも、インターネット上のホームページのデータなどのように受信品質レベルとしてデジタル放送のデータなどほどには高品質レベルが要求されないデータの受信時にも、マルチパス干渉の増大によって受信品質レベルが低下している状況を確実かつ容易に知ることができ、受信品質レベルが低下しているときには受信場所を移動するなどによって、マルチパス干渉が小さく受信品質レベルが高い状態で他の機器から送信されたデータを受信することができる。
【図面の簡単な説明】
【図１】この発明の表示端末を用いた無線ＬＡＮシステムの一例を示す図である。
【図２】ベース機器の機能ブロック構成の一例を示す図である。
【図３】表示端末の機能ブロック構成の一例を示す図である。
【図４】表示端末の受信品質レベルの表示のための構成の一例を示す図である。
【図５】ビット誤り率の変化と受信品質レベル表示用の棒グラフの変化との関係の一例を示す図である。
【図６】棒グラフと数値によって受信品質レベルを表示する場合の一例を示す図である。
【図７】描画情報によって受信品質レベルを表示する場合の一例を示す図である。
【符号の説明】
主要部については図中に全て記述したので、ここでは省略する。
【図１】
0004161159.tif 000002
【図２】
0004161159.tif 000003
【図３】
0004161159.tif 000004
【図４】
0004161159.tif 000005
【図５】
0004161159.tif 000006
【図６】
0004161159.tif 000007
【図７】
0004161159.tif 000008